(57)【要約】【課題】散髪をするとき、はさみと散髪用櫛を交互に持ちかえる必要がないように、あらかじめ散髪用櫛を手指に装着できるようにし、なおかつ、散髪のカットラインの目安となる補助平行線がついている、手指装着式の補助平行線付き散髪用櫛を提供する。【解決手段】散髪用櫛の背軸（１）に筒（２）または筒状のもの（３）を設け、なおかつ筒（２）または筒状のもの（３）に散髪用櫛と平行となるような任意の補助平行線（４）を数本設けた手指装着式の補助平行線付き散髪用櫛を特徴とする。【選択図】図１
2011078722.tif 000002
【特許請求の範囲】
【請求項１】
櫛の背軸（１）に筒（２）または筒状のもの（３）を設け、かつ、筒（２）または筒状のもの（３）にカットラインの目安となる数本の補助平行線（４）がついた、手指に装着して使う手指装着式の補助平行線付き散髪用櫛。
【発明の詳細な説明】
【技術分野】
【０００１】この発明は、散髪用櫛の背軸に手指に装着できる筒または筒状のものを設け、その筒または筒状のものに手指を入れることで簡単に指に散髪用櫛を取り付けて使うことができる手指装着式の補助平行線付き散髪用櫛に関するものである。
【背景技術】
【０００２】従来、散髪用櫛は直接手指で櫛本体を保持しなければならず、手指に装着して使うことのできる散髪用櫛で、かつ、髪をとき揃えるとき、髪をとき揃えると同時に散髪用櫛を装着した側の手でとき揃えた髪を保持できる機能を兼ね備えた散髪用櫛はなかった。【０００３】特許公開２００６−２９７０００
【発明の開示】
【発明が解決しようとする課題】
【０００４】これには、次のような欠点があった。
従来、散髪用櫛は、髪をとき揃える目的のために作られた１枚の板状のものに細かい櫛目が入った形状のものが主流であった。ところが、散髪の際、髪を切り揃えようとしたときには、必ず一旦は散髪用櫛を手から離し、はさみに持ちかえる必要が生じていた。これは、とき揃えた髪を片手で保持した状態を保ちながら、もう一方の手ではさみと散髪用櫛を交互に持ちかえる必要があったためである。髪を切るたびに、一方の手だけで散髪櫛とはさみを交互に持ちかえることは、散髪の効率も悪く、はさみや散髪櫛を置く場所も別途用意せねばならず、大変不便で手間のかかる作業であった。本発明は、以上のような欠点をなくすためになされたものである。【０００５】本発明が、特許公開２００６−２９７０００と違う点は明白である。まず、特許公開２００６−２９７０００では、はさみと散髪用櫛を一体化し、手指に装着することで片手を使って散髪することを特徴としているため、とき揃えた髪を散髪用櫛で保持した状態で、はさみを使って髪を切ることは不可能である。つまり、特許公開２００６−２９７０００では、髪をとくか髪を切るかのいずれかの動作しか行えない。両方の動作を同時に行おうとすると、どうしても散髪用櫛でとき揃えた髪を、一旦、別の手に持ちかえなければならない。本発明は、散髪用櫛であり、はさみは一体化しない。本発明は、髪をとき揃えながら切りそろえたい髪を同時に保持できることを最大の特徴とした発明である。本発明は、図５の使用例のように、髪をとき揃えながら、それと同時に、とき揃えた髪をそのままの状態で散髪用櫛から離すことなく保持できることを最大の目的とした散髪用櫛であり、かつ、切り揃え易いように本体にカットラインの目安となる補助平行線を設けた散髪用櫛なのである。また、散髪用櫛の装着場所および装着の向きに関しても、本発明と特許公開２００６−２９７０００では大きく異なっている。特許公開２００６−２９７０００では、人差し指に散髪用櫛を装着し、その散髪用櫛は親指に向かって手のひらと平行方向であるのに対し、本発明では、散髪用櫛は中指に装着して使い、その散髪用櫛の向きは、装着した手のひらに対して垂直方向である。なお、形状に関して、特許公開２００６−２９７０００の形状では、右利きの人用、左利きの人用では、別々の形状になるため大変不便で効率が悪い。本発明では、同じ形状のものが、右利き左利きなどの利き手に関係なくすべてに対応できる点においても特許公開２００６−２９７０００と大きく違っており、特許公開２００６−２９７０００より大変優れている点でもある。
上記のように、本発明と特許公開２００６−２９７０００では、大きく異なっているのは明らかである。
【課題を解決するための手段】
【０００６】散髪用櫛の櫛目のない側、つまり散髪用櫛の背軸（１）に、筒（２）または筒状のもの（３）を設ける。筒（２）または筒状のもの（３）にはカットラインの目安となる補助平行線（４）を数本設ける。
本発明は、以上の構成よりなる手指に装着して使う手指装着式の補助平行線付き散髪用櫛である。
【発明の効果】
【０００７】散髪用櫛を散髪用櫛の背軸に取り付けた筒または筒状のものにより手指に簡単に装着することにより、直接手指を使って散髪用櫛を保持する必要がなくなる。よって、散髪用櫛を手指に装着したまま保持できるため、ほぼ両手が自由に使える。そのため、散髪の際に必ず生じる動作である、髪を散髪用櫛でとき揃える、とき揃えた髪を手指で保持する、保持した髪をはさみで切り揃える、といった三つの動作を、散髪用櫛とはさみを持ちかえることなく一度に施すことができる。散髪という動作には、上述の三つの動作が数十回と行なわれているため、従来のような散髪用櫛では、片手のみを使ってはさみと散髪用櫛を数十回もわざわざ持ちかえるという不便で効率の悪い動作が、本発明によりすべて省略できるのである。また、本発明では、常に両手にはさみと散髪用櫛を保持できるようになったため、従来必要であったはさみと散髪用櫛を置く場所も用意する必要がなくなった。その上、本発明では、筒または筒状のものに髪を切る際のカットライン目安となる補助平行線を数本設けることで、散髪の素人でもその補助平行線に添ってはさみを走らせることで、より直線的に髪を切ることが可能となる。
【発明を実施するための最良の形態】
【０００８】以下、本発明を実施するための最良の形態について説明する。
散髪用櫛の櫛目のついていない背軸（１）に、プラスチック製または金属製、木製などの任意の素材からなる筒（２）または筒状のもの（３）を設ける。筒（２）または筒状のもの（３）の形状は円筒が望ましいが、それに限ったものではない。
筒（２）または筒状のもの（３）に、散髪用櫛と平行になるよう任意の補助平行線（４）を数本設ける。
本発明は、以上のような構造である。
これを右利きの人が使用した例が図５である。筒（２）または筒状のもの（３）を左手の中指に挿入し装着する。これにより、左手に散髪用櫛を固定することができる。右手にはさみ（５）を常時持つことができるため、散髪の三つの動作である、髪を散髪用櫛でとき揃える、とき揃えた髪を手指で保持する、保持した髪をはさみで切り揃えるといった動作が、わざわざ散髪用櫛とはさみを交互に持ちかえることなく一度に繰り返し何度も行うことができるのである。
また、任意の補助平行線（４）がカットラインの目安となるため、散髪の素人でもより簡単に直線的なラインで髪を切り揃えることができる。
筒状のもの（３）とは、図４のように筒の形状がＯ型ではなくＣ型であるため、手指の太さに関係なく筒幅を調整でき、装着できるようになっていることがその形状の特徴である。
【図面の簡単な説明】
【０００９】
【図１】本発明の筒（２）がついた場合の斜視図である。
【図２】本発明の筒（２）がついた場合の断面図である。
【図３】本発明の筒状のもの（３）がついた場合の斜視図である。
【図４】本発明の筒状のもの（３）がついた場合の断面図である。
【図５】本発明の使用例
【符号の説明】
【００１０】１  散髪用櫛の背軸
２  筒
３  筒状のもの
４  任意の補助平行線
５  はさみ
【図１】
2011078722.tif 000003
【図２】
2011078722.tif 000004
【図３】
2011078722.tif 000005
【図４】
2011078722.tif 000006
【図５】
2011078722.tif 000007